(57)【特許請求の範囲】
【請求項１】
第１の通信アプリケーションおよび第２の通信アプリケーションがインストールされ、前記第１の通信アプリケーションによって、画像の変更を管理する第１の通信端末との間で通信を確立し、前記第２の通信アプリケーションによって、第３の通信アプリケーションがインストールされたコンピュータとの間で通信を確立する通信端末であって、
前記画像を変更するための操作入力に応じて、描画されたストロークを示すストロークデータを管理する管理手段と、
前記ストロークデータを前記第１の通信端末へ送信する第１の送信手段と、
前記第１の通信端末からストロークデータを受信する受信手段と、
前記受信手段が受信した前記ストロークデータに基づいて、前記コンピュータが出力可能な映像データを前記コンピュータへ送信する第２の送信手段と、
を有することを特徴とする通信端末。
【請求項２】
第１の通信アプリケーションおよび第２の通信アプリケーションがインストールされ、前記第１の通信アプリケーションによって、第１のレイヤの画像の変更を管理する第１の通信端末との間で通信を確立し、前記第２の通信アプリケーションによって、第３の通信アプリケーションがインストールされたコンピュータとの間で通信を確立する通信端末であって、
前記第１のレイヤの画像を変更するための操作入力に応じて、変更される第１のレイヤの画像を示す第１の変更画像情報を管理する管理手段と、
前記第１の変更画像情報を前記第１の通信端末へ送信する第１の送信手段と、
前記第１の通信端末から第１の変更画像情報を受信する受信手段と、
前記受信手段が受信した前記第１の変更画像情報に基づいて、前記コンピュータが出力可能な映像データを前記コンピュータへ送信する第２の送信手段と、
を有することを特徴とする通信端末。
【請求項３】
前記第１の通信端末は、更に、第２のレイヤの画像の変更を管理し、
前記管理手段は、更に、前記第２のレイヤの画像を変更するための操作入力に応じて、変更される第２のレイヤの画像を示す第２の変更画像情報を管理し、
前記第１の送信手段は、更に、前記第２のレイヤの画像を変更するための操作入力に応じて、変更される第２のレイヤの画像を示す第２の変更画像情報を前記第１の通信端末へ送信し、
前記受信手段は、更に、前記第１の通信端末から第２の変更画像情報を受信し、
前記第２の送信手段は、前記受信手段が受信した前記第１の変更画像情報に基づいて形成される第１のレイヤの画像、及び前記第２の変更画像情報に基づいて形成される第２のレイヤの画像の重畳画像を示す重畳画像情報を前記コンピュータへ送信することを特徴とする請求項２に記載の通信端末。
【請求項４】
前記第１の通信端末は、更に第３のレイヤの画像を管理し、
前記管理手段は、更に、前記第３のレイヤの画像を取得するための操作入力に応じて、取得される第３のレイヤの画像を示す取得画像情報を管理し、
前記第１の送信手段は、更に、前記第３のレイヤの画像を取得するための操作入力に応じて、取得される前記第３のレイヤの画像を示す取得画像情報を前記第１の通信端末へ送信し、
受信手段は、更に、前記第１の通信端末から取得画像情報を受信し、
前記第２の送信手段は、前記受信手段が受信した前記第１の変更画像情報に基づいて形成される第１のレイヤの画像、前記第２の変更画像情報に基づいて形成される第２のレイヤの画像、及び前記取得画像情報によって示される前記第３のレイヤの画像の重畳画像を示す重畳画像情報を前記コンピュータへ送信することを特徴とする請求項３に記載の通信端末。
【請求項５】
前記第１の通信端末は、更に第４のレイヤの画像を管理し、
前記管理手段は、更に、前記第４のレイヤの画像を管理し、
前記第２の送信手段は、前記受信手段が受信した前記第１の変更画像情報に基づいて形成される第１のレイヤの画像、前記第２の変更画像情報に基づいて形成される第２のレイヤの画像、前記取得画像情報によって示される前記第３のレイヤの画像、及び、前記第４のレイヤの画像の重畳画像を示す重畳画像情報を前記コンピュータへ送信することを特徴とする請求項４に記載の通信端末。
【請求項６】
前記第１のレイヤの画像は、ストローク画像であり、
前記第２のレイヤの画像は、オブジェクト画像であり、
前記第３のレイヤの画像は、背景画像であり、
前記第４のレイヤの画像は、ユーザインタフェース画像であることを特徴とする請求項５に記載の通信端末。
【請求項７】
前記受信手段が受信した前記第１の変更画像情報に基づいて形成される前記第１のレイヤの画像、前記第２の変更画像情報に基づいて形成される前記第２のレイヤの画像、前記取得画像情報によって示される前記第３のレイヤの画像、及び、前記第４のレイヤの画像の重畳画像の表示を制御する表示制御手段を有することを特徴とする請求項５又は６に記載の通信端末。
【請求項８】
前記重畳画像情報は、映像データであることを特徴とする請求項３乃至７のいずれか一項に記載の通信端末。
【請求項９】
請求項１乃至８のいずれか一項に記載の通信端末と、
前記第１の通信端末と、
前記コンピュータと、
を有することを特徴とする通信システム。
【請求項１０】
前記コンピュータは、前記映像データを管理する管理システムであることを特徴とする請求項９に記載の通信システム。
【請求項１１】
前記管理システムから前記映像データを取得するＰＣ（Personal Computer）を有することを特徴とする請求項１０に記載の通信システム。
【請求項１２】
第１の通信アプリケーションおよび第２の通信アプリケーションがインストールされ、前記第１の通信アプリケーションによって、画像の変更を管理する第１の通信端末との間で通信を確立し、前記第２の通信アプリケーションによって、第３の通信アプリケーションがインストールされたコンピュータとの間で通信を確立し、前記画像を変更するための操作入力に応じて、描画されたストロークを示すストロークデータを管理する管理手段を有する通信端末が、
前記ストロークデータを前記第１の通信端末へ送信する処理と、
前記第１の通信端末からストロークデータを受信する処理と、
受信した前記ストロークデータに基づいて、前記コンピュータが出力可能な映像データを前記コンピュータへ送信する処理と、
を実行することを特徴とする通信制御方法。
【請求項１３】
第１の通信アプリケーションおよび第２の通信アプリケーションがインストールされ、前記第１の通信アプリケーションによって、第１のレイヤの画像の変更を管理する第１の通信端末との間で通信を確立し、前記第２の通信アプリケーションによって、第３の通信アプリケーションがインストールされたコンピュータとの間で通信を確立し、前記第１のレイヤの画像を変更するための操作入力に応じて、変更される第１のレイヤの画像を示す第１の変更画像情報を管理する管理手段を有する通信端末が、
前記第１の変更画像情報を前記第１の通信端末へ送信する処理と、
前記第１の通信端末から第１の変更画像情報を受信する処理と、
受信した前記第１の変更画像情報に基づいて、前記コンピュータが出力可能な映像データを前記コンピュータへ送信する処理と、
を実行することを特徴とする通信制御方法。
【請求項１４】
第１の通信アプリケーションおよび第２の通信アプリケーションがインストールされ、前記第１の通信アプリケーションによって、画像の変更を管理する第１の通信端末との間で通信を確立し、前記第２の通信アプリケーションによって、第３の通信アプリケーションがインストールされたコンピュータとの間で通信を確立し、前記画像を変更するための操作入力に応じて、描画されたストロークを示すストロークデータを管理する管理手段を有する通信端末に、
前記ストロークデータを前記第１の通信端末へ送信する処理と、
前記第１の通信端末からストロークデータを受信する処理と、
受信した前記ストロークデータに基づいて、前記コンピュータが出力可能な映像データを前記コンピュータへ送信する処理と、
を実行させることを特徴とするプログラム。
【請求項１５】
第１の通信アプリケーションおよび第２の通信アプリケーションがインストールされ、前記第１の通信アプリケーションによって、第１のレイヤの画像の変更を管理する第１の通信端末との間で通信を確立し、前記第２の通信アプリケーションによって、第３の通信アプリケーションがインストールされたコンピュータとの間で通信を確立し、前記第１のレイヤの画像を変更するための操作入力に応じて、変更される第１のレイヤの画像を示す第１の変更画像情報を管理する管理手段を有する通信端末に、
前記第１の変更画像情報を前記第１の通信端末へ送信する処理と、
前記第１の通信端末から第１の変更画像情報を受信する処理と、
受信した前記第１の変更画像情報に基づいて、前記コンピュータが出力可能な映像データを前記コンピュータへ送信する処理と、
を実行させることを特徴とするプログラム。
【発明の詳細な説明】
【技術分野】
【０００１】
本発明は、通信端末、通信システム、通信制御方法、及びプログラムに関する。
【背景技術】
【０００２】
近年、当事者の移動の経費や時間を削減する要請等に伴い、インターネットや専用線等の通信ネットワークを介して通話や会議等を行う通信システムが普及している。このような通信システムでは、通信端末の有する機能に応じて、会議参加者や会議資料等の表示データや手書操作に基づくストロークデータ等のコンテンツデータを通信端末間で共有することができる。
【０００３】
また、通信ネットワークに接続する電子黒板のうちサーバ機を介して、クライアント機間でストロークデータを共有する方法が開示されている（特許文献１参照）。
【発明の概要】
【発明が解決しようとする課題】
【０００４】
ところで、通信端末は、相手側の通信端末との間の通信を確立して、例えば、手書操作に基づいて描画されるストロークのストロークデータや、テレビ会議用の映像データ等の複数のコンテンツデータを送信することもできる。しかしながら、相手側の通信端末が、例えば、ストロークデータ等により画像の変更を管理する機能を有していない場合には、相手側の通信端末へストロークデータ等を送信しても、通信端末間で同じ画像を共有することができないという課題が生じる。
【課題を解決するための手段】
【０００５】
請求項１に係る発明の通信端末は、第１の通信アプリケーションおよび第２の通信アプリケーションがインストールされ、前記第１の通信アプリケーションによって、画像の変更を管理する第１の通信端末との間で通信を確立し、前記第２の通信アプリケーションによって、第３の通信アプリケーションがインストールされたコンピュータとの間で通信を確立する通信端末であって、前記画像を変更するための操作入力に応じて、描画されたストロークを示すストロークデータを管理する管理手段と、前記ストロークデータを前記第１の通信端末へ送信する第１の送信手段と、前記第１の通信端末からストロークデータを受信する受信手段と、前記受信手段が受信した前記ストロークデータに基づいて、前記コンピュータが出力可能な映像データを前記コンピュータへ送信する第２の送信手段と、を有することを特徴とする。
【発明の効果】
【０００６】
以上説明したように本発明によれば、相手側の通信端末が、画像の変更を管理する機能を有していない場合でも、通信端末間で同じ画像を共有することが可能になるという効果を奏する。
【図面の簡単な説明】
【０００７】
【図１】図１は、一実施形態に係る通信システムの全体構成図である。
【図２】図２は、一実施形態に係る電子黒板のハードウェア構成図である。
【図３】図３は、一実施形態に係る管理システムのハードウェア構成図である。
【図４】図４は、一実施形態に係るテレビ会議端末としてのＰＣのハードウェア構成図である。
【図５】図５（ａ）は、一実施形態に係る電子黒板のソフトウェア構成図である。            図５（ｂ）は、一実施形態に係るＰＣのソフトウェア構成図である。
【図６】図６は、一実施形態に係る通信システムの一部を構成する電子黒板、ＰＣ、及び管理システムの機能ブロック図である。
【図７】図７は、一実施形態に係る描画制御部を詳細に示した機能ブロック図である。
【図８】図８は、電子黒板又はＰＣの処理を示したシーケンス図である。
【図９】図９は、電子黒板又はＰＣの処理を示したシーケンス図である。
【図１０】図１０は、電子黒板又はＰＣの処理を示したシーケンス図である。
【図１１】図１１は、電子黒板又はＰＣの処理を示したシーケンス図である。
【図１２】図１２は、電子黒板又はＰＣの処理を示したシーケンス図である。
【図１３】図１３は、ディスプレイの表示例を示す図である。
【発明を実施するための形態】
【０００８】
以下、図面を用いて、本発明の一実施形態について説明する。
【０００９】
＜＜通信システムの全体構成＞＞
まず、図１を用いて、通信システム１について説明する。図１は、一実施形態に係る通信システムの全体構成図である。
【００１０】
通信システム１は、複数の電子黒板２ａ，２ｂ，２ｃ、ＰＣ８、中継装置３０、及び管理システム５０を有する。
【００１１】
電子黒板２ａ，２ｂ，２ｃは、通信ネットワーク９ａを介して通信可能に接続されている。また、電子黒板２ａ，２ｂ，２ｃには、それぞれディスプレイ３ａ，３ｂ，３ｃが設けられている。
【００１２】
電子黒板２ａ，２ｂ，２ｃは、電子ペン４ａ，４ｂ，４ｃによって生じたイベント（ディスプレイ３ａ，３ｂ，３ｃへの電子ペン４ａ，４ｂ，４ｃのペン先、又は、ペン尻のタッチ）により描画された画像を、ディスプレイ３ａ，３ｂ，３ｃに表示させることができる。なお、電子黒板２ａ，２ｂ，２ｃは、電子ペン４ａ，４ｂ，４ｃだけでなく、ユーザの手Ｈａ，Ｈｂ，Ｈｃ等によって生じたイベント（拡大、縮小、ページめくり等のジェスチャ）に基づいて、ディスプレイ３ａ，３ｂ，３ｃ上に表示されている画像を変更させることもできる。以下、電子黒板２ａ，２ｂ，２ｃのうち任意の電子黒板を示す場合には、電子黒板２と表す。また、ディスプレイ３ａ，３ｂ，３ｃのうち任意のディスプレイを示す場合には、ディスプレイ３と表す。また、電子ペン４ａ，４ｂ，４ｃのうち任意の電子ペンを示す場合には電子ペン４と示す。また、ユーザの手Ｈａ，Ｈｂ，Ｈｃのうち任意の手を示す場合には手Ｈと示す。
【００１３】
また、電子黒板２ａ，２ｂ，２ｃには、ＵＳＢ(Universal Serial Bus)メモリ５ａ，５ｂ，５ｃが接続可能である。電子黒板２ａ，２ｂ，２ｃはＵＳＢメモリ５ａ，５ｂ，５ｃからＰＤＦ(Portable Document Format)等の電子ファイルを読み出したり、ＵＳＢメモリ５ａ，５ｂ，５ｃに電子ファイルを記録したりすることができる。また、電子黒板２ａには、DisplayPort、DVI(Digital Visual Interface)、HDMI（登録商標）(High-Definition Multimedia Interface)およびVGA(Video Graphics Array)等の規格による通信が可能なケーブルを介して、ノートＰＣ６ａ，６ｂ，６ｃが接続されている。なお、ＵＳＢメモリ５ａ，５ｂ，５ｃのうち任意のＵＳＢメモリを示す場合にはＵＳＢメモリ５と示す。ノートＰＣ６ａ，６ｂ，６ｃのうち任意のノートＰＣを示す場合にはノートＰＣ６と示す。
【００１４】
これにより、一の拠点で電子黒板２のディスプレイ３上に描画されたストロークのストロークデータは、通信ネットワーク９ａを介して他の拠点で電子黒板２へ送信されることで、他の拠点のディスプレイ３上にも表示される。逆に他の拠点で電子黒板２のディスプレイ３上に描画されたストロークのストロークデータは、通信ネットワーク９ａを介して一の拠点の電子黒板２へ送信されることで、一の拠点の電子黒板２のディスプレイ３上に表示される。このように、通信システム１では、遠隔地において同じ画像を共有する遠隔共有処理を行うことができるため、遠隔地での会議等に用いると、非常に便利である。
【００１５】
なお、上記の電子黒板２に加えて、電子黒板以外の他の通信端末が通信ネットワーク９ａに接続することで、電子黒板２との間でストロークデータを共有することもできる。他の通信端末としては、ストローク共有機能を有するＰＣ、テレビ会議端末、タブレット、スマートフォン、電子看板（デジタルサイネージ）、スポーツや天気予報等で利用されるテレストレータ、又は、遠隔画像（映像）診断装置等の画像処理装置、携帯情報端末、デジタルビデオカメラ、デジタルカメラ、ゲーム機等の画像フレームを供給可能な端末等のコンピュータが含まれる。
【００１６】
電子黒板２ｃ、ＰＣ（Personal computer）８、管理システム５０は、通信ネットワーク９ｂを介して通信可能に接続されている。
【００１７】
電子黒板２ｃ及びＰＣ８は、コンテンツデータの一例としてテレビ会議用の映像データの送受信による通信を行なう。なお、映像データは、動画データであっても静止画データの集合であってもよい。
【００１８】
管理システム５０は、電子黒板２ｃ及びＰＣ８の通信状況等を一元的に管理する。
【００１９】
なお、電子黒板２ｃ及びＰＣ８以外の他の通信端末が通信ネットワーク９ｂに接続することで、他の通信端末と電子黒板２ｃ、ＰＣ８との間で映像データを共有することもできる。他の通信端末としては、映像共有機能を有するテレビ会議端末、タブレット、スマートフォン、電子看板（デジタルサイネージ）、テレストレータ、又は、画像処理装置、携帯情報端末、デジタルビデオカメラ、デジタルカメラ、ゲーム機等の画像フレームを供給可能な端末等のコンピュータが含まれる。
【００２０】
なお、電子黒板２ｃは、ストロークデータを共有するためのモジュール、及び映像データを共有するためのモジュールの双方を起動することで、通信端末間でストロークデータ及び映像データの両方を同時に共有することができる。
【００２１】
一実施形態によると、通信ネットワーク９ａはイントラネットであり、通信ネットワーク９ｂはインターネットである。ただし、通信ネットワーク９ａ，９ｂは、各通信端末のプロトコルに応じて、インターネット、ＬＡＮ(Local Area Network)、イントラネット、又は携帯電話網等の任意の通信ネットワークから選択される。また、通信ネットワーク９ａ，９ｂは、共にインターネットである場合のように同じ通信ネットワークであっても良い。
【００２２】
また、一実施形態では、記録媒体の一例として、ＵＳＢメモリを説明するが、これに限るものではなく、記録媒体の他の例として、ＳＤカード等の各種記録メディアであってもよい。
【００２３】
＜電子黒板のハードウェア構成＞
図２を用いて、一実施形態に係る電子黒板のハードウェア構成を説明する。なお、図２は、一実施形態に係る電子黒板のハードウェア構成図である。
【００２４】
図２に示されているように、電子黒板２は、電子黒板２全体の動作を制御するＣＰＵ(Central Processing Unit)２０１、ＩＰＬ等のＣＰＵ２０１の駆動に用いられるプログラムを記憶したＲＯＭ２０２、ＣＰＵ２０１のワークエリアとして使用されるＲＡＭ２０３、電子黒板用のプログラム等の各種データを記憶するＳＳＤ２０４、通信ネットワーク９との通信を制御するネットワークコントローラ２０５、および、ＵＳＢメモリ５との通信を制御する外部記憶コントローラ２０６を備えている。さらに、電子黒板２は、ＣＰＵ２０１の制御に従って被写体を撮像するカメラ２０７と、このカメラ２０７の駆動を制御する撮像素子Ｉ／Ｆ２０８と、ノートＰＣ６のディスプレイに対して映像情報を静止画または動画として表示させるキャプチャデバイス２１１、グラフィクスを専門に扱うＧＰＵ(Graphics Processing Unit)２１２、および、ＧＰＵからの出力画像をディスプレイ３へ出力するために画面表示の制御および管理を行うディスプレイコントローラ２１３を備えている。さらに、電子黒板２は、接触センサ２１５の処理を制御するセンサコントローラ２１４、ディスプレイ３上に電子ペン４やユーザの手Ｈ等が接触したことを検知する接触センサ２１５を備えている。一実施形態における、接触センサ２１５は、赤外線遮断方式による座標の入力および座標の検出を行う。この座標の入力および座標を検出する方法は、ディスプレイ３の上側両端部に設置された２つ受発光装置が、ディスプレイ３に平行して複数の赤外線を放射し、ディスプレイ３の周囲に設けられた反射部材によって反射されて、受光素子が放射した光の光路と同一の光路上を戻って来る光を受光する方法である。接触センサ２１５は、物体によって遮断された２つの受発光装置が放射した赤外線のＩＤ(Identification)をセンサコントローラ２１４に出力し、センサコントローラ２１４が、物体の接触位置である座標位置を特定する。なお、以下に示す全ての各ＩＤは、識別情報の一例である。
【００２５】
また、接触センサ２１５としては、赤外線遮断方式に限らず、静電容量の変化を検知することにより接触位置を特定する静電容量方式のタッチパネル、対向する２の抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。また、接触センサ２１５は、カメラを用いて、接触を判断し、座標位置を特定するものであっても良い。
【００２６】
また、電子黒板２は、電子ペンコントローラ２１６を備えている。この電子ペンコントローラ２１６は、電子ペン４と通信することで、ディスプレイ３へのペン先のタッチやペン尻のタッチの有無を判断する。なお、電子ペンコントローラ２１６が、電子ペン４のペン先およびペン尻だけでなく、電子ペン４のユーザが握る部分や、その他の電子ペンの部分のタッチの有無を判断するようにしてもよい。
【００２７】
さらに、電子黒板２は、音声を入力するマイク２２２と、音声を出力するスピーカ２２３と、ＣＰＵ１０１の制御に従ってマイク２２２およびスピーカ２２３との間で音信号の入出力を処理する音入出力Ｉ／Ｆ２２４と、ユーザの操作を受け付ける操作ボタン２２５と、電子黒板２の電源のＯＮ／ＯＦＦを切り換えるための電源スイッチ２２６と、を備えている。
【００２８】
さらに、電子黒板２は、上記各構成要素間を相互に電気的に接続するためのアドレスバスやデータバス等のバスライン２３０を備えている。
【００２９】
なお、電子黒板用のプログラムは、ＣＤ−ＲＯＭ等のコンピュータで読み取り可能な記録媒体や、ネットワーク上のサーバに記録して流通やダウンロードさせるようにしてもよい。
【００３０】
＜管理システムのハードウェア構成＞
図３を用いて、一実施形態に係る管理システムのハードウェア構成を説明する。なお、図３は、一実施形態に係る管理システムのハードウェア構成図である。
【００３１】
管理システム５０は、管理システム５０全体の動作を制御するＣＰＵ５０１と、伝送管理用プログラムを記憶したＲＯＭ５０２と、ＣＰＵ５０１のワークエリアとして使用されるＲＡＭ５０３と、各種データを記憶するＨＤ(Hard Disk)５０４と、ＣＰＵ５０１の制御に従ってＨＤ５０４に対する各種データの読み出しおよび書き込みを制御するＨＤＤ５０５と、フラッシュメモリ等の記録メディア５０６に対するデータの読み出しおよび書き込み（記憶）を制御するメディアＩ／Ｆ５０７とを備えている。さらに、管理システム５０は、カーソル、メニュー、ウィンドウ、文字、画像等の各種情報をディスプレイ５１６に表示させるためのディスプレイＩ／Ｆ５０８と、通信ネットワーク９を利用してデータ伝送をするためのネットワークＩ／Ｆ５０９と、文字、数値、各種指示等を入力するための複数のキーを備えたキーボード５１１と、各種指示の選択や実行、処理対象の選択、マウスカーソルなどのポインティングデバイスの移動等を行うマウス５１２とを備えている。さらに、管理システム５０は、着脱可能な記録媒体の一例としてのＣＤ−ＲＯＭ(Compact Disc Read Only Memory)５１３に対するデータの読み出しおよび書き込みを制御するＣＤ−ＲＯＭドライブ５１４と、外部の装置との間で情報を送受信するための外部装置Ｉ／Ｆ５１５と、上記各構成要素間を相互に電気的に接続するためのアドレスバスやデータバス等のバスライン５１０とを備えている。
【００３２】
また、上記伝送管理用プログラムは、インストール可能な形式または実行可能な形式のファイルで、上記記録メディア５０６やＣＤ−ＲＯＭ５１３等のコンピュータで読み取り可能な記録媒体に記録して流通させるようにしてもよい。上記伝送管理用プログラムはＨＤ５０４に記憶されていてもよい。
【００３３】
＜ＰＣのハードウェア構成＞
図４は、一実施形態に係るテレビ会議端末としてのＰＣ８のハードウェア構成図である。ＰＣ８は、ＣＰＵ８０１、ＲＯＭ８０２、ＲＡＭ８０３、フラッシュメモリ８０４、ＳＳＤ８０５、メディアＩ／Ｆ８０７、電源スイッチ８０９、バスライン８１０、ネットワークＩ／Ｆ８１１、カメラ８１２、撮像素子Ｉ／Ｆ８１３、マイク８１４、スピーカ８１５、音入出力Ｉ／Ｆ８１６、ディスプレイＩ／Ｆ８１７、外部機器接続Ｉ／Ｆ８１８、キーボード８２１、及びマウス８２２を備えている。これらのうち、ＣＰＵ８０１は、ＰＣ８全体の動作を制御する。ＲＯＭ(Read Only Memory)８０２は、ＩＰＬ(Initial Program Loader)等のＣＰＵ８０１の駆動に用いられるプログラムを記憶する。ＲＡＭ(Random Access Memory)８０３は、ＣＰＵ８０１のワークエリアとして使用される。フラッシュメモリ８０４は、通信用プログラム、表示データ、及び音データ等の各種データを記憶する。ＳＳＤ（Solid State Drive）８０５は、ＣＰＵ８０１の制御にしたがってフラッシュメモリ８０４に対する各種データの読み出し又は書き込みを制御する。なお、ＳＳＤに代えてＨＤＤを用いてもよい。メディアＩ／Ｆ８０７は、フラッシュメモリ等の記録メディア８０６に対するデータの読み出し又は書き込み（記憶）を制御する。
【００３４】
また、ネットワークＩ／Ｆ(Interface)８１１は、通信ネットワーク９ｂを利用してデータ通信をするためのインターフェースである。カメラ８１２は、ＣＰＵ８０１の制御に従って被写体を撮像して表示データを得る内蔵型の撮像手段の一種である。撮像素子Ｉ／Ｆ８１３は、カメラ８１２の駆動を制御する回路である。マイク８１４は、音声を入力する内蔵型の集音手段の一種である。音入出力Ｉ／Ｆ８１６は、ＣＰＵ８０１の制御に従ってマイク８１４及びスピーカ８１５との間で音信号の入出力を処理する回路である。ディスプレイＩ／Ｆ８１７は、ＣＰＵ８０１の制御に従って外付けのディスプレイ８２０に表示データを送信する回路である。外部機器接続Ｉ／Ｆ８１８は、各種の外部機器を接続するためのインターフェースである。キーボード８２１は、文字、数値、各種指示等を入力するための複数のキーを備えている。マウス８２２は、各種指示の選択や実行、処理対象の選択、マウスカーソルなどのポインティングデバイスの移動等を行う。
【００３５】
また、バスライン８１０は、ＣＰＵ８０１等の図４に示されている各構成要素を電気的に接続するためのアドレスバスやデータバス等である。
【００３６】
ディスプレイ８２０は、被写体の画像や操作用アイコン等を表示する液晶や有機ＥＬによって構成された表示手段の一種である。また、ディスプレイ８２０は、ケーブル８２０ｃによってディスプレイＩ／Ｆ８１７に接続される。このケーブル８２０ｃは、アナログＲＧＢ（ＶＧＡ）信号用のケーブルであってもよいし、コンポーネントビデオ用のケーブルであってもよいし、ＨＤＭＩ（登録商標）(High-Definition Multimedia Interface)やＤＶＩ(Digital Video Interactive)信号用のケーブルであってもよい。
【００３７】
なお、カメラ８１２は、レンズや、光を電荷に変換して被写体の画像（映像）を電子化する固体撮像素子を含み、固体撮像素子として、ＣＭＯＳ(Complementary Metal Oxide Semiconductor)や、ＣＣＤ（Charge Coupled Device）等が用いられる。外部機器接続Ｉ／Ｆ８１８には、ＵＳＢ(Universal Serial Bus)ケーブル等によって、外付けカメラ、外付けマイク、及び外付けスピーカ等の外部機器がそれぞれ接続可能である。外付けカメラが接続された場合には、ＣＰＵ８０１の制御に従って、内蔵型のカメラ８１２に優先して、外付けカメラが駆動する。同じく、外付けマイクが接続された場合や、外付けスピーカが接続された場合には、ＣＰＵ８０１の制御に従って、それぞれが内蔵型のマイク８１４や内蔵型のスピーカ８１５に優先して、外付けマイクや外付けスピーカが駆動する。
【００３８】
また、記録メディア８０６は、ＰＣ８に対して着脱自在な構成となっている。また、ＣＰＵ８０１の制御にしたがってデータの読み出し又は書き込みを行う不揮発性メモリであれば、フラッシュメモリ８０４に限らず、ＥＥＰＲＯＭ（Electrically Erasable and Programmable ROM）等を用いてもよい。
【００３９】
＜ソフトウェア構成＞
図５（ａ）は、一実施形態に係る電子黒板のソフトウェア構成図である。図５（ａ）に示されているように、ＯＳ(Operating System)２０２０、通信アプリケーションＡ１１、及び通信アプリケーションＢ１０は、ＲＡＭ２０３の作業領域２０１０上で動作する。以後、アプリケーションは、「アプリ」と表す。
【００４０】
ＯＳ２０２０は、基本的な機能を提供し、電子黒板全体を管理する基本ソフトウェアである。通信アプリＡ１１，Ｂ１０は、他の端末と通信を行うためのアプリであり、それぞれ通信プロトコルが異なる。通信アプリＡ１１は、ストロークデータを他の通信端末との間で送信するための通信制御機能と、ストロークデータを画像として出力するための画像処理機能を電子黒板２に実行させる。通信アプリＢ１０は、会議映像等の映像データを他の通信端末との間で送信するための通信制御機能と、映像データを画像として出力するための画像処理機能と、を電子黒板２に実行させる。
【００４１】
ＯＳ２０２０、及び、通信アプリＡ１１は、工場出荷前から、電子黒板２にインストールされている。また、通信アプリＢ１０は、工場出荷後に、任意に電子黒板２にインストール可能である。以下、電子黒板２ｃに通信アプリＢ１０がインストールされており、電子黒板２ａ，２ｂに通信アプリＢ１０がインストールされていないものとして説明を続ける。
【００４２】
図５（ｂ）は、一実施形態に係るＰＣのソフトウェア構成図である。図５（ｂ）に示されているように、ＯＳ８０２０、通信アプリＢ１１は、ＲＡＭ８０３の作業領域８０１０上で動作する。
【００４３】
ＯＳ８０２０は、基本的な機能を提供し、ＰＣ８全体を管理する基本ソフトウェアである。通信アプリＢ１１は、会議映像等の映像データを他の通信端末との間で送信するための通信制御機能と、映像データを画像として出力するための画像処理機能と、をＰＣ８に実行させる。
【００４４】
また、ＯＳ８０２０、及び、通信アプリＢ１１は、工場出荷前又は工場出荷後に、ＰＣ８にインストールされる。
【００４５】
＜＜実施形態の機能構成＞＞
次に、一実施形態に係る通信システムの機能構成について説明する。図６は、一実施形態に係る通信システムの一部を構成する電子黒板、ＰＣ、及び管理システム５０の機能ブロック図である。図６では、電子黒板２ａ，２ｂ，２ｃが、通信ネットワーク９ａを介してデータ通信することができるように接続されている。また、図６では、電子黒板２ｃ、ＰＣ８、及び管理システム５０が、通信ネットワーク９ｂを介してデータ通信することができるように接続されている。
【００４６】
電子黒板２は、図２に示されているハードウェア構成およびプログラムによって、図６に示されている各機能構成を実現する。また、電子黒板２は、ＳＳＤ２０４により構築される記憶部２０００を有している。ＰＣ８は、図４に示されているハードウェア構成およびプログラムによって、図６に示されている各機能構成を実現する。また、ＰＣ８は、ＳＳＤ８０５により構築される記憶部８０００を有している。
【００４７】
電子黒板２は、最初に遠隔共有処理を開始する「主催装置」となり得ると共に、既に開始されている遠隔共有処理に後から参加する「参加装置」にもなり得る。また、電子黒板２は、大きく分けて、クライアント部２０およびサーバ部９０の両方によって構成されている。クライアント部２０およびサーバ部９０は、電子黒板２の１台の筐体内で通信アプリＡ１１が起動することで実現される機能である。なお、クライアント部２０およびサーバ部９０のうち、電子黒板２にクライアント部２０を備え、サーバ部９０を配信制御装置などの電子黒板２とは異なる装置とするようにしてもよい。
【００４８】
電子黒板２が主催装置となる場合には、この電子黒板２では、クライアント部２０とサーバ部９０が実現（実行）される。また、電子黒板２が参加装置となる場合には、この電子黒板２では、クライアント部２０は実現（実行）されるが、サーバ部９０は実現（実行）されない。即ち、電子黒板２ａが主催装置で、電子黒板２ｂ，２ｃが参加装置となる場合、電子黒板２ａのクライアント部２０は、同じ電子黒板２ａ内に実現されたサーバ部９０を介して、他の電子黒板２ｂ,２ｃのクライアント部２０と通信を行う。一方、電子黒板２ｂ，２ｃのクライアント部２０は、他の電子黒板２ａ内に実現されたサーバ部９０を介して、他の電子黒板２ａ，２ｂ又は２ｃのクライアント部と通信を行う。
【００４９】
また、電子黒板２ｃ及びＰＣ８では、通信アプリＢ１０，Ｂ１１が起動することでクライアント部８０が実現される。クライアント部８０は、サーバとしての管理システム５０の呼制御により確立される通信において、他の通信端末のクライアント部８０と通信を行う。
【００５０】
〔クライアント部２０の機能構成〕
クライアント部２０は、通信制御部２１及び描画制御部２２を有する。
【００５１】
通信制御部２１は、ＣＰＵ２０１からの命令、或いはネットワークコントローラ２０５によって実現され、通信ネットワーク９ａを介して、他の電子黒板２と行う通信や、サーバ部９０における後述の通信制御部９１と行う通信を制御する。
【００５２】
描画制御部２２は、ＣＰＵ２０１からの命令により実現され、ディスプレイ３上の操作により生成するストロークデータ、或いはＵＳＢメモリ５、ノートＰＣ６、通信制御部２１、記憶部２０００等から取得されるデータに基づいて画像処理を行う。また、描画制御部２２は、処理されたデータに基づいて画像レイヤを生成し、これらが重畳された重畳画像を出力する制御を行う。
【００５３】
図７は、一実施形態に係る描画制御部を詳細に示した機能ブロック図である。描画制御部２２は、ストローク処理部２２Ａ、取得部２２Ｂ、変換部２２Ｘ、重畳部２２Ｙ、及びページ処理部２２Ｚを有している。
【００５４】
ストローク処理部２２Ａは、ＣＰＵ２０１からの命令によって実現され、ディスプレイ３上の電子ペン４や手Ｈの操作によってストローク描画のイベントが発生すると、操作に応じたストロークデータを生成する処理を行う。
【００５５】
取得部２２Ｂは、ＣＰＵ２０１からの命令によって実現され、記憶部２０００に記憶されたデータを取得する。
【００５６】
変換部２２Ｘは、ＣＰＵ２０１からの命令によって実現され、各種データを変換する処理を行う。この変換には、テキスト化、実データ（バイナリ）変換、シリアライズ、デシリアライズ、エンコード、デコード等が含まれていても良い。
【００５７】
重畳部２２Ｙは、ＣＰＵ２０１からの命令によって実現され、各データに基づいて各画像レイヤを生成し、これらを重畳する処理を行う。
【００５８】
ページ処理部２２Ｚは、ストロークデータ等の各表示用のデータを１つのページデータにまとめて、記憶部２０００の一部であるページデータ記憶部２２０に記憶する。
【００５９】
ページデータ記憶部２２０は、記憶部２０００の一部に構築され、表１に示されているようなページデータを記憶する。表１は、ページデータを示す概念図である。ページデータは、ディスプレイ３に表示される１ページ分のデータ（ストローク配列データ（各ストロークデータ）及びメディアデータ）である。
【００６０】
【表１】
0006720513.tif 000002
【００６１】
ページデータは、任意の１ページを識別するためのページデータＩＤ、このページの表示を開始した時刻を示す開始時刻、ストロークやジェスチャ等によるページの内容の書き換えが行われなくなった時刻を示す終了時刻、電子ペン４やユーザの手Ｈによるストロークによって生じたストローク配列データを識別するためのストローク配列データＩＤ、及びメディアデータを識別するためのメディアデータＩＤが関連付けて記憶されている。ストローク配列データは、ストローク画像がディスプレイ３上に表示されるためのデータである。メディアデータは、ストローク画像と重畳する他の画像がディスプレイ３上に表示されるためのデータである。
【００６２】
また、ストローク配列データは、表２に示されているように詳細な情報を示している。表２は、ストローク配列データを示す概念図である。表２に示されているように、１つのストローク配列データは、複数のストロークデータによって表される。そして、１つのストロークデータは、このストロークデータを識別するためのストロークデータＩＤ、１つのストロークの書き始めの時刻を示す開始時刻、１つのストロークの書き終わりの時刻を示す終了時刻、ストロークの色、ストロークの幅、及び、ストロークの通過点の配列を識別するための座標配列データＩＤを示している。例えば、ユーザが電子ペン４によってアルファベット「Ｓ」を描く場合は一筆書きとなるため、ストロークデータＩＤが１つで一文字のアルファベット［Ｓ］が示される。ところが、ユーザが電子ペン４によってアルファベット「Ｔ」を描く場合、二筆書きとなるため、ストロークデータＩＤが２つで一文字のアルファベット「Ｔ」が示されることになる。
【００６３】
【表２】
0006720513.tif 000003
【００６４】
更に、この座標配列データは、表３に示されているように詳細な情報を示している。表３は、座標配列データを示す概念図である。座標配列データは、ディスプレイ３上の１点（Ｘ座標値、Ｙ座標値）、この１点を通過したときのストロークの開始時刻からの差分の時刻（ｍｓ）、及び、この１点における電子ペン４の筆圧の各情報を示している。即ち、表３に示されている１点の集まりが、表２に示されている１つの座標配列データで示されている。例えば、ユーザが電子ペン４によってアルファベット「Ｓ」を描く場合、一筆書きとなるが、「Ｓ」を描き終えるまでに、複数の通過点を通過するため、座標配列データは、これら複数の通過点の情報を示している。
【００６５】
【表３】
0006720513.tif 000004
【００６６】
また、表１に示されているページデータのうちのメディアデータは、表４に示されているように詳細な情報を示している。表４は、メディアデータを示す概念図である。図９に示されているように、メディアデータは、表１に示されているページデータにおけるメディアデータＩＤ、メディアデータのデータ種類、メディアデータが記憶された記録時刻、メディアデータによってディスプレイ３上に表示される画像の位置（Ｘ座標値、Ｙ座標値）及び画像のサイズ（幅、高さ）、並びにメディアデータの内容を示すデータが関連付けられて示されている。このうち、メディアデータによってディスプレイ３上に表示される画像の位置は、ディスプレイ３の左上端の座標を（Ｘ座標値，Ｙ座標値）＝（０，０）とした場合に、メディアデータによって表示される画像の左上端の位置を示している。
【００６７】
【表４】
0006720513.tif 000005
【００６８】
〔サーバ部９０の機能構成〕
サーバ部９０は、通信制御部９１を有している。
【００６９】
通信制御部９１は、ＣＰＵ２０１からの命令により実現され、同じ電子黒板２内のクライアント部２０における通信制御部２１、および通信ネットワーク９ａを介して他の電子黒板２内のクライアント部２０における通信制御部２１との間における通信を制御する。
【００７０】
〔クライアント部８０の機能構成〕
クライアント部８０の通信制御部８１は、ＣＰＵ２０１，８０１からの命令、或いはネットワークコントローラ２０５又はネットワークＩ／Ｆ８１１により実現され、他の通信端末のクライアント部８０における通信制御部８１との間、又は管理システム５０の通信制御部５１との間の通信を制御する。
【００７１】
クライアント部８０の表示制御部８２は、通信アプリＢ１１を起動することで、ＣＰＵ８０１からの命令により実現される機能である。表示制御部８２は、通信制御部２１、記憶部８０００等から取得されるデータに基づいて画像処理を行い、画像を出力する制御を行う。
【００７２】
〔管理システム５０の機能構成〕
管理システム５０は、図３に示されているハードウェア構成およびプログラムによって、図６に示されている各機能構成を実現する。また、管理システム５０は、ＨＤ５０４より構築される記憶部５０００を有している。
【００７３】
管理システム５０の通信制御部５１は、ＣＰＵ２０１からの命令により実現され、通信ネットワーク９ｂを介して電子黒板２又はＰＣ８内のクライアント部８０における通信制御部８１との通信を制御する。
【００７４】
＜＜実施の形態の処理又は動作＞＞
続いて、図８乃至図１１を用いて、一実施形態に係る処理又は動作について説明する。なお、図８乃至図１１は、電子黒板又はＰＣの処理を示したシーケンス図である。
【００７５】
（電子黒板間の通信確立処理）
図８を用いて、電子黒板２ａ，２ｂ，２ｃ間の通信アプリＡ１１による通信を確立する処理について説明する。ユーザが電子黒板２ａの電源スイッチ２２６をオンにすると、通信アプリＡ１１が起動することで電子黒板２ａのクライアント部２０の処理が開始する（ステップＳ１）。そして、ディスプレイ３ａ上の操作により会議主催の要求が受け付けられると、クライアント部２０の通信制御部２１から同じ電子黒板２ａのサーバ部９０における通信制御部９１に、サーバ部９０の処理を開始させる指示を出力する。これにより、電子黒板２ａでは、クライアント部２０だけでなくサーバ部９０も各種処理を開始可能となる（ステップＳ２）。
【００７６】
次に、電子黒板２ａの通信制御部９１が電子黒板２ａとの接続を確立するための接続情報を生成し、クライアント部２０が生成された接続情報をディスプレイ３ａに表示させる（ステップＳ３）。この接続情報には、主催装置のＩＰアドレス、および今回の遠隔共有処理のために生成されたパスコードが含まれている。このパスコードは、記憶部２０００に記憶される。そして、接続情報は、電子黒板２ａのユーザによって、電話や電子メールにより、電子黒板２ｂ，２ｃのユーザに伝えられる。
【００７７】
次に、電子黒板２ｂ，２ｃでは、ユーザが電子黒板２ｂ，２ｃの電源スイッチ２２６をオンにすると、通信アプリＡ１１が起動することで電子黒板２ｂ，２ｃのクライアント部２０の処理が開始する（ステップＳ４，Ｓ５）。電子黒板２ｂ，２ｃにおいて、ディスプレイ３ｂ，３ｃ上の操作によって接続情報の入力が受け付けられると、各電子黒板２ｂ，２ｃのクライアント部２０における通信制御部２１が、接続情報のＩＰアドレスに基づき、通信ネットワーク９ａを介して、電子黒板２ａのサーバ部９０における通信制御部９１に対してパスコードを送信して参加要求を行う（ステップＳ６，Ｓ７）。電子黒板２ａの通信制御部９１は、各電子黒板２ｂ，２ｃから、参加要求（パスコードを含む）を受信する。
【００７８】
次に、通信制御部９１は、各電子黒板２ｂ，２ｃから受信したパスコードに対し、記憶部２０００で管理されているパスコードを用いて認証する（ステップＳ８）。そして、通信制御部９１が、各電子黒板２ｂ，２ｃのクライアント部２０に認証結果を通知する（ステップＳ９，Ｓ１０）。ステップＳ８の認証により、各電子黒板２ｂ，２ｃが正当な電子黒板であると判断されていた場合には、主催装置である電子黒板２ａと、参加装置である電子黒板２ｂ，２ｃとの遠隔共有処理の通信が確立される（ステップＳ１１，Ｓ１２）。なお、本実施形態では、電子黒板２ａ，２ｂ，２ｃ間で送信されるコンテンツデータは、ストロークデータを含む場合について説明する。
【００７９】
（電子黒板とＰＣとの間の通信確立処理）
図９を用いて、電子黒板２ｃ及びＰＣ８間で通信アプリＢ１０，Ｂ１１による通信を確立する処理について説明する。
【００８０】
電子黒板２ｃのディスプレイ３ｃ上の操作により、クライアント部２０が通信アプリＢ１０の起動要求を受け付けると、クライアント部８０は各種処理を開始可能となる（ステップＳ２１）。図１３（Ｂ）はディスプレイの表示例である。図１３（Ｂ）に示したように、電子黒板２ｃのクライアント部２０の描画制御部２２は、ストローク共有用の画面１４０の一部に、通信アプリＢ１０の起動要求を受け付けるためのアイコン１４０ｉを表示させる。この場合、クライアント部２０は、ユーザによるアイコン１４０ｉの押下を検知することにより、通信アプリＢ１０の起動要求を受け付ける。
【００８１】
続いて、クライアント部８０の通信制御部８１は、管理システム５０に対し、ログイン要求を行う（ステップＳ２２）。これにより、管理システム５０は、ログイン要求を受信する。
【００８２】
管理システム５０は、ログイン要求元の電子黒板２ｃを認証し（ステップＳ２３）、ログイン要求元の電子黒板２ｃに対して、認証結果を送信する（ステップＳ２４）。これにより、電子黒板２ｃの通信制御部８１は、認証結果を受信する。以下、上記ステップＳ２３により、正当なログイン要求元であると判断された場合について説明を続ける。
【００８３】
ＰＣ８において、キーボード８２１あるいはマウス８２２の操作に基づいて、通信アプリＢ１１の起動要求が受け付けられると、通信アプリＢ１１が起動して、ＰＣ８のクライアント部８０の処理が開始可能となる（ステップＳ３１）。
【００８４】
続いて、クライアント部８０の通信制御部８１は、管理システム５０に対し、ログイン要求を行う（ステップＳ３２）。これにより、管理システム５０は、ログイン要求を受信する。
【００８５】
管理システム５０は、ログイン要求元のＰＣ８を認証し（ステップＳ３３）、ＰＣ８に対して、認証結果を送信する（ステップＳ３４）。以下、上記ステップＳ３３により、正当なログイン要求元であると判断された場合について説明を続ける。
【００８６】
電子黒板２ｃの通信制御部８１は、ディスプレイ３ｃ上の操作に応じて、管理システム５０に対し、通信の開始要求を行う（ステップＳ４１）。この通信の開始要求には、通信の開始要求元の電子黒板２ｃの通信ＩＤ、および宛先のＰＣ８の通信ＩＤが含まれている。これにより、管理システム５０は、通信の開始要求を受信する。なお、通信ＩＤは通信先を特定するための情報であって、通信端末の識別情報や、通信端末のユーザのアカウントが含まれる。
【００８７】
次に、管理システム５０は、宛先のＰＣ８に対して、通信の開始要求を行う（ステップＳ４２）。この通信の開始要求には、上記ステップＳ４１によって送られて来た通信の開始要求元の電子黒板２ｃの通信ＩＤおよび宛先のＰＣ８の通信ＩＤが含まれている。これにより、宛先のＰＣ８は、通信の開始要求を受信する。
【００８８】
これに対して、ＰＣ８の通信制御部８１は、ユーザによる操作入力に応じて、管理システム５０に対し、応答可否を示す情報を送信する（ステップＳ４３）。以下、ＰＣ８が、応答する旨を示す情報を管理システム５０へ送信した場合について説明を続ける。
【００８９】
これにより、管理システム５０は、応答する旨を示す情報を受信する。管理システム５０は、開始要求元の電子黒板２ｃに対し、上記ステップＳ１３によって宛先のＰＣ８から送られて来た、応答する旨を示す情報を送信する（ステップＳ４４）。これにより、電子黒板２ｃの通信制御部８１は、応答する旨を示す情報を受信する。
【００９０】
続いて、管理システム５０は、電子黒板２ｃとＰＣ８との間で通信ネットワーク９ｂを介してコンテンツデータを送信するための通信を確立させる制御を行う（ステップＳ４５）。通信を確立させる方法は、特に限定されない。例えば、管理システム５０は、コンテンツデータへのアクセス先へのアクセス権限を電子黒板２ｃ及びＰＣ８に付与する。アクセス先は、管理システム５０内であっても、管理システム５０以外の通信端末であっても良い。電子黒板２ｃ及びＰＣ８は、アクセス先へアクセスして、自端末側のコンテンツデータを送信するとともに、アクセス先から相手側のコンテンツデータを取得する。
【００９１】
上記の制御に基づいて、電子黒板２ｃとＰＣ８との間の通信が確立されると、電子黒板２ｃ及びＰＣ８は、通信相手との間でコンテンツデータの送受信を開始する（ステップＳ４６）。なお、本実施形態では、電子黒板２ｃ及びＰＣ８の間で送信されるコンテンツデータは、会議映像の映像データ（動画データ又は静止画データの集合）を含む場合について説明する。
【００９２】
（重畳画像の表示）
続いて、図１０を用いて、遠隔共有処理における重畳画像が表示される処理について説明する。
【００９３】
まず、電子黒板２ｃのユーザが電子ペン４ｃを用いて電子黒板２ｃにストローク画像を描画すると、ストローク処理部２２Ａは、電子ペン４ｃとディスプレイ３ｃとの接触部の座標位置に基づいて、描画されたストロークのストロークデータを生成する（ステップＳ６１）。なお、生成されるストロークデータは上記の表２に示されている各パラメータを含む。変換部２２Ｘは、複数のストローク単位のストロークデータをまとめることでシリアライズ（直列化）する（ステップＳ６２）。電子黒板２ｃの通信制御部２１は、通信ネットワーク９ａを介して、主催装置である電子黒板２ａの通信制御部９１にシリアライズされたストロークデータを送信する（ステップＳ６３）。なお、電子黒板２ｂは、描画される度に、ストロークデータを主催装置である電子黒板２ａに順次送信しても良い。
【００９４】
電子黒板２ａの通信制御部９１は、電子黒板２ｃから送られて来たストロークデータを受信すると、このストロークデータを電子黒板２ａのクライアント部２０へ送信する。送信されたストロークデータは電子黒板２ａのクライアント部２０の通信制御部２１によって受信される。クライアント部２０の描画制御部２２における変換部２２Ｘは、ストロークデータをデシリアライズ（並列化）する（ステップＳ６４）。ページ処理部２２Ｚは、ページデータ記憶部２２０において、すでに記憶されているストロークデータに追加して、新たにデシリアライズされたストロークデータを記憶させる。続いて、重畳部２２Ｙは、ページデータ記憶部２２０に記憶されている各ストロークデータを合成した合成後のストローク画像（Ｂ）の画像データ、及びページデータ記憶部２２０に記憶されている各オブジェクトデータを合成した合成後の出力画像（Ｃ）の画像データを生成する。なお、オブジェクトデータについては、後述の変形例Ａにおいて詳細に説明する。そして、重畳部２２Ｙは、ページデータ記憶部２２０に記憶されている背景画像のレイヤの画像データ（メディアデータ）に、生成された出力画像の画像データ、生成されたストローク画像の画像データ、及びＵＩ(user interface)画像の画像データを合成することで、４層の重畳画像（Ａ，Ｂ，Ｃ，Ｄ）の画像データを生成する。なお、ＵＩ画像の画像データは、特に限定されないが、ページデータ記憶部２２０に予め記憶されていても良い。重畳部２２Ｙは、生成された重畳画像（Ａ，Ｂ，Ｃ，Ｄ）の画像データを、ディスプレイ３ａへ送信することで、重畳画像（Ａ，Ｂ，Ｃ，Ｄ）をディスプレイ３ａ上に表示させる（ステップＳ６５）。図１３（Ａ）は重畳画像の概念図であり、図１３（Ｂ）は、重畳画像の一例である。
【００９５】
また、電子黒板２ａの通信制御部９１は、電子黒板２ｃから送られて来たシリアライズされているストロークデータを電子黒板２ｂ，２ｃのクライアント部２０へ送信する（ステップＳ６６，Ｓ６７）。送信されたストロークデータは電子黒板２ｂ，２ｃのクライアント部２０の通信制御部２１によって受信される。電子黒板２ｂ，２ｃのクライアント部２０は、ディスプレイ３ｂ，３ｃに、電子黒板２ａから送られて来たストロークデータに基づいて重畳画像（Ａ，Ｂ，Ｃ，Ｄ）を表示する。この処理は、電子黒板２ａのクライアント部２０におけるステップＳ６４，Ｓ６５の処理と同様であるので説明を省略する（ステップＳ６８乃至Ｓ７１）。
【００９６】
続いて、電子黒板２ｃのクライアント部８０の通信制御部８１は、ステップＳ７１で、重畳部２２Ｙがディスプレイ３ｃへ送信する重畳画像（Ａ，Ｂ，Ｃ，Ｄ）の画像データを取得する（ステップＳ７２）。取得するタイミングは、特に限定されないが、ステップＳ６７において受信されたストロークデータに基づく重畳画像の画像データが形成される毎でも良いし、一定時間毎でも良い。電子黒板２ｃの通信制御部８１は、管理システム５０の通信制御部５１との間で確立された通信により、取得された画像データを映像データのフレームデータとして管理システム５０へ送信する。管理システム５０の通信制御部５１は、電子黒板２ｃから送られてきた映像データを受信すると、この映像データを記憶部５０００に記憶する。ＰＣ８の通信制御部８１は、管理システム５０の通信制御部５１との間で確立された通信により、記憶部５０００に記憶された映像データを取得する。これにより、電子黒板２ｃとＰＣ８との間で、映像データを共有する（ステップＳ７３）。
【００９７】
取得された映像データは、ＰＣ８のクライアント部８０の表示制御部８２によってディスプレイ８２０上に表示される（ステップＳ７４）。
【００９８】
なお、上記では、電子黒板２ｃにおいて、ストローク画像が描画されるときの処理について説明したが、電子黒板２ａ，２ｂにおいてストローク画像が描画されるときの処理は、電子黒板２ｃのクライアント部２０が、電子黒板２ａ，２ｂのクライアント部２０に置き換わる点を除きステップＳ６１乃至Ｓ７４の処理と同様である。
【００９９】
＜＜実施形態の変形例Ａ＞＞
続いて、図１１を用いて実施形態の変形例Ａについて上記の実施形態とは異なる点を説明する。なお、電子黒板２は、実施形態の変形例Ａ、及び、上記実施形態の両方を実行する機能を有していても良い。変形例Ａでは、電子黒板２ｃにおいてオブジェクトの追加又は削除の要求が入力される場合について説明する。図１１は、電子黒板又はＰＣの処理を示したシーケンス図である。
【０１００】
まず、電子黒板２ｃのユーザが電子ペン４ｃを用いて電子黒板２ｃに、予め定められたオブジェクトを挿入すると、ストローク処理部２２Ａは、電子ペン４ｃとディスプレイ３ｃとの接触部の座標位置に基づいて、挿入された図形オブジェクトのオブジェクトデータを生成する（ステップＳ６１Ａ）。なお、生成されるオブジェクトデータは、電子黒板２においてオブジェクトを再生可能なものであれば特に限定されないが、線、円、多角形、矢印等の図形の種類を示す情報と、図形の端部、中心、頂点等の位置を示す位置情報と、を含むものが例示される。変換部２２Ｘは、オブジェクトデータをシリアライズ（直列化）する（ステップＳ６２Ａ）。電子黒板２ｃの通信制御部２１は、通信ネットワーク９ａを介して、主催装置である電子黒板２ａの通信制御部９１にシリアライズされたストロークデータを送信する（ステップＳ６３Ａ）。
【０１０１】
電子黒板２ａの通信制御部９１は、電子黒板２ｃから送られて来たオブジェクトデータを受信すると、このオブジェクトデータを電子黒板２ａのクライアント部２０へ送信する。送信されたオブジェクトデータは電子黒板２ａのクライアント部２０の通信制御部２１によって受信される。クライアント部２０の描画制御部２２における変換部２２Ｘは、オブジェクトデータをデシリアライズ（並列化）する（ステップＳ６４Ａ）。ページ処理部２２Ｚは、ページデータ記憶部２２０において、すでに記憶されているオブジェクトデータに追加して、新たにデシリアライズされたストロークデータを記憶させる。続いて、重畳部２２Ｙは、ページデータ記憶部２２０に記憶されている各オブジェクトデータを合成した合成後の出力画像（Ｃ）の画像データ、及びページデータ記憶部２２０に記憶されている各ストロークデータを合成した合成後のストローク画像（Ｂ）の画像データを生成する。そして、重畳部２２Ｙは、ページデータ記憶部２２０に記憶されている背景画像の画像データ（メディアデータ）に、生成された出力画像の画像データ、生成されたストローク画像の画像データ、及びＵＩ画像の画像データを合成することで、４層の重畳画像（Ａ，Ｂ，Ｃ，Ｄ）の画像データを生成する。なお、ＵＩ画像の画像データは、特に限定されないが、ページデータ記憶部２２０に予め記憶されていても良い。重畳部２２Ｙは、生成された重畳画像（Ａ，Ｂ，Ｃ，Ｄ）の画像データを、ディスプレイ３ａへ送信することで、重畳画像（Ａ，Ｂ，Ｃ，Ｄ）をディスプレイ３ａ上に表示させる（ステップＳ６５Ａ）（図１３（Ａ，Ｂ）参照）。
【０１０２】
以下、ステップＳ６６Ａ乃至Ｓ７４Ａの処理は、ストロークデータがオブジェクトデータに置き換わる点を除いて、上記の実施形態のステップＳ６６乃至Ｓ７４の処理と同様であるので説明を省略する。
【０１０３】
なお、上記では、電子黒板２ｃにおいて、オブジェクトが描画されるときの処理について説明したが、電子黒板２ａ，２ｂにおいてオブジェクト画像が描画されるときの処理は、電子黒板２ｃのクライアント部２０が、電子黒板２ａ，２ｂのクライアント部２０に置き換わる点を除きステップＳ６１Ａ乃至Ｓ７４Ａの処理と同様である。
【０１０４】
＜＜実施形態の変形例Ｂ＞＞
続いて、図１２を用いて実施形態の変形例Ｂについて上記の実施形態とは異なる点を説明する。なお、電子黒板２は、実施形態の変形例Ｂ、並びに、実施形態の変形例Ａ、及び上記実施形態の少なくとも一つを共に実行する機能を有していても良い。変形例Ｂでは、電子黒板２ｃにおいて背景画像の追加又は削除の要求が入力される場合について説明する。図１２は、電子黒板又はＰＣの処理を示したシーケンス図である。
【０１０５】
まず、電子黒板２ｃのユーザが電子ペン４ｃを操作して、外部装置としてのノートＰＣ６ｃに表示されている画面の取得を要求する旨を電子黒板２ｃに入力すると、電子黒板２ｃは、ノートＰＣ６ｃに表示されている画面の画像データを取得する（ステップＳＢ１）。電子黒板２ｃの変換部２２Ｘは、取得された画像データをテキスト化する（ステップＳＢ２）。この処理により、画像データは、ストロークデータやオブジェクトデータと同様のテキスト形式に変換される。電子黒板２ｃの変換部２２Ｘは、テキスト化された画像データをシリアライズ（ステップＳ６２Ｂ）する。電子黒板２ｃの通信制御部２１は、通信ネットワーク９ａを介して、主催装置である電子黒板２ａの通信制御部９１にシリアライズされた画像データを送信する（ステップＳ６３Ｂ）。
【０１０６】
電子黒板２ａの通信制御部９１は、電子黒板２ｃから送られて来た画像データを受信すると、この画像データを電子黒板２ａのクライアント部２０へ送信する。送信された画像データは電子黒板２ａのクライアント部２０の通信制御部２１によって受信される。クライアント部２０の描画制御部２２における変換部２２Ｘは、画像データをデシリアライズ（並列化）する（ステップＳ６４Ｂ）。更に、クライアント部２０の描画制御部２２における変換部２２Ｘは、テキスト形式の画像データを元の形式の実データに変換する（ステップＳＢ３）。
【０１０７】
実データに変換された画像データは、ページ処理部２２Ｚによってページデータ記憶部２２０にメディアデータとして（表４参照）ページデータ記憶部２２０に記憶される。続いて、重畳部２２Ｙは、ページデータ記憶部２２０に記憶されている各ストロークデータを合成した合成後のストローク画像（Ｂ）の画像データ、及び、ページデータ記憶部２２０に記憶されている各オブジェクトデータを合成した合成後の出力画像（Ｃ）の画像データを生成する。そして、重畳部２２Ｙは、ページデータ記憶部２２０に記憶されている背景画像の画像データ（メディアデータ）に、生成された出力画像の画像データ、生成されたストローク画像の画像データ、及びＵＩ画像の画像データを合成することで、４層の重畳画像（Ａ，Ｂ，Ｃ，Ｄ）の画像データを生成する。なお、ＵＩ画像の画像データは、特に限定されないが、ページデータ記憶部２２０に予め記憶されていても良い。重畳部２２Ｙは、生成された重畳画像（Ａ，Ｂ，Ｃ，Ｄ）の画像データを、ディスプレイ３ａへ送信することで、重畳画像（Ａ，Ｂ，Ｃ，Ｄ）をディスプレイ３ａ上に表示させる（ステップＳ６５Ｂ）（図１３（Ａ，Ｂ）参照）。
【０１０８】
また、電子黒板２ａの通信制御部９１は、電子黒板２ｃから送られて来たシリアライズされている画像データを電子黒板２ｂ，２ｃのクライアント部２０へ送信する（ステップＳ６６Ｂ，Ｓ６７Ｂ）。送信された画像データは電子黒板２ｂ，２ｃのクライアント部２０の通信制御部２１によって受信される。電子黒板２ｂ，２ｃのクライアント部２０は、ディスプレイ３ｂ，３ｃに、電子黒板２ａから送られて来た画像データに基づいて重畳画像（Ａ，Ｂ，Ｃ，Ｄ）を表示する。この処理は、電子黒板２ａのクライアント部２０におけるステップＳ６４Ｂ，ＳＢ３，Ｓ６５Ｂの処理と同様であるので説明を省略する（ステップＳ６８Ｂ，ＳＢ４，Ｓ６９Ｂ，Ｓ７０Ｂ，ＳＢ５，Ｓ７１Ｂ）。
【０１０９】
また、電子黒板２ｃとＰＣ８との間で重畳画像を共有する処理は、上記のステップＳ７３，Ｓ７４と同様であるので、説明を省略する（ステップＳ７３Ｂ，Ｓ７４Ｂ）。
なお、上記では、電子黒板２ｃにおいて、背景画像が取得されるときの処理について説明したが、電子黒板２ａ，２ｂにおいて背景画像が取得されるときの処理は、電子黒板２ｃのクライアント部２０が、電子黒板２ａ，２ｂのクライアント部２０に置き換わる点を除きステップＳＢ１乃至Ｓ７４Ｂの処理と同様である。
【０１１０】
＜＜実施形態の主な効果＞＞
上記実施形態の通信制御方法によると、電子黒板２ｃ（通信端末の一例）は、ストローク画像のレイヤ（第１のレイヤの一例）上のストロークの描画（画像の変更の一例）を管理する電子黒板２ａ（第１の通信端末の一例）、及び電子黒板２ａとは異なる管理システム５０（第２の通信端末の一例）との間で通信を確立する。電子黒板２ｃのページデータ記憶部２２０（管理手段の一例）は、ストロークの描画の操作入力（画像を変更するための操作入力の一例）に応じて、描画されるストローク（変更される画像の一例）を示すストロークデータ（第１の変更画像情報の一例）を管理する。電子黒板２ｃの通信制御部２１（送信手段の一例）は、ストロークの描画の操作入力に応じて、描画されるストロークを示すストロークデータを管理システム５０へ送信する。また、電子黒板２ｃの通信制御部８１（送信手段の一例）は、ページデータ記憶部２２０において管理される各ストロークデータに基づいて形成されるストローク画像を示す映像データ（形成画像情報の一例）を管理システム５０へ送信する。これにより、通信の相手側の管理システム５０が、ストロークの描画を管理する機能を有していない場合でも、電子黒板２ｃと管理システム５０との間で同じ画像を共有することが可能になる。
【０１１１】
電子黒板２ａは、更に、オブジェクト画像のレイヤ（第２のレイヤの一例）上のオブジェクトの描画（画像の変更の一例）を管理する。電子黒板２ｃのページデータ記憶部２２０は、更に、オブジェクト画像のレイヤ上のオブジェクトの描画の操作入力に応じて、描画されるオブジェクトを示すオブジェクトデータ（第２の変更画像情報の一例）を管理する。電子黒板２ｃの通信制御部２１は、オブジェクト画像のレイヤ上のオブジェクトの描画の操作入力に応じて、描画されるオブジェクトを示すオブジェクトデータを電子黒板２ａへ送信する。また、電子黒板２ｃの通信制御部２１は、ページデータ記憶部２２０において管理される各ストロークデータに基づいて形成されるストローク画像、及び各オブジェクトデータに基づいて形成されるオブジェクト画像の重畳画像を示す映像データ（重畳画像情報の一例）を管理システム５０へ送信する。これにより、通信の相手側の管理システム５０が、オブジェクトの描画を管理する機能を有していない場合でも、電子黒板２ｃと管理システム５０との間で同じ画像を共有することが可能になる。
【０１１２】
電子黒板２ａは、更に背景画像のレイヤ（第３のレイヤの一例）上の背景画像を管理する。電子黒板２ｃのページデータ記憶部２２０は、更に、背景画像を取得するための操作入力に応じて、取得される背景画像を示す画像データ（取得画像情報の一例）を管理する。電子黒板２ｃの通信制御部２１は、背景画像のレイヤ上の背景画像を取得するための操作入力に応じて、取得される背景画像を示す画像データを電子黒板２ａへ送信する。また、電子黒板２ｃの通信制御部２１は、ページデータ記憶部２２０において管理される各ストロークデータに基づいて形成されるストローク画像、各オブジェクトデータに基づいて形成されるオブジェクト画像、及び画像データに基づいて形成される背景画像の重畳画像を示す映像データを管理システム５０へ送信する。これにより、通信の相手側の管理システム５０が、背景画像を管理する機能を有していない場合でも、電子黒板２ｃと管理システム５０との間で同じ画像を共有することが可能になる。
【０１１３】
電子黒板２ａは、更にＵＩ画像（ユーザインタフェース画像の一例）のレイヤ（第４のレイヤの一例）の画像を管理する。電子黒板２ｃのページデータ記憶部２２０は、更に、ＵＩ画像のレイヤの画像を管理する。また、電子黒板２ｃの通信制御部２１は、ページデータ記憶部２２０において管理される各ストロークデータに基づいて形成されるストローク画像、各オブジェクトデータに基づいて形成されるオブジェクト画像、画像データに基づいて形成される背景画像、及びＵＩ画像の重畳画像を示す映像データを管理システム５０へ送信する。これにより、通信の相手側の管理システム５０が、ＵＩ画像を管理しない場合でも、電子黒板２ｃと管理システム５０との間で同じ画像を共有することが可能になる。
【０１１４】
電子黒板２ｃの重畳部２２Ｙ（表示制御手段の一例）は、ページデータ記憶部２２０において管理される各ストロークデータに基づいて形成されるストローク画像、各オブジェクトデータに基づいて形成されるオブジェクト画像、画像データに基づいて形成される背景画像、及びＵＩ画像の重畳画像を表示する制御を行う。これにより、共有画像を表示することが可能となる。
【０１１５】
ＰＣ８（第３の通信端末の一例）は、管理システム５０から上記の映像データを取得する。これにより、ＰＣ８が、ストロークデータの描画を管理する機能を有していなくても、ＰＣ８と電子黒板２ｃとの間で、ストローク画像を映像として共有することが可能となる。
【０１１６】
＜＜実施形態の補足＞＞
通信アプリＡ１１，Ｂ１０，Ｂ１１は、インストール可能な形式又は実行可能な形式のファイルによって、コンピュータで読み取り可能な記録媒体に記録されて流通されるようにしてもよい。また、上記記録媒体の他の例として、ＣＤ−Ｒ(Compact Disc Recordable)、ＤＶＤ(Digital Versatile Disk)、ブルーレイディスク等が挙げられる。また、上記記録媒体、あるいは、これらプログラムが記憶されたＨＤ(Hard Disk)は、プログラム製品(Program Product)として、国内又は国外へ提供可能である。
【０１１７】
また、上記実施形態における電子黒板２、ＰＣ８、中継装置３０、及び管理システム５０は、単一の装置によって構築されてもよいし、各部（機能又は手段）を分割して任意に割り当てられた複数の装置によって構築されていてもよい。
【０１１８】
また、上記では、画像共有可能な装置の一例として電子黒板２及びＰＣ８について説明したが、これに限るものではない。例えば、画像共有可能な装置として、上記の電子黒板２及びＰＣ８の有する各機能を搭載可能な他の装置を用いることもできる。他の装置としては、例えば、テレビ会議端末、プロジェクター、デジタルサイネージ、テキスト共有装置、カーナビゲーション端末、ゲーム機、ＰＤＡ（Personal Digital Assistant）、遠隔診断装置等が挙げられる。
【符号の説明】
【０１１９】
１  通信システム
２  電子黒板
３  ディスプレイ
４  電子ペン
５  ＵＳＢメモリ
６  ノートＰＣ
８  ＰＣ
９ａ，９ｂ  通信ネットワーク
２０  クライアント部
２１  通信制御部
２２  描画制御部
２２Ａ  ストローク処理部
２２Ｂ  取得部
２２Ｘ  変換部
２２Ｙ  重畳部
２２Ｚ  ページ処理部
２２０  ページデータ記憶部
３０  中継装置
５０  管理システム
８０  クライアント部
８１  通信制御部
８２  表示制御部
９０  サーバ部
９１  通信制御部
２０００  記憶部
８０００  記憶部
【先行技術文献】
【特許文献】
【０１２０】
【特許文献１】特開２０１５−７０３４５号公報
【図１】
0006720513.tif 000006
【図２】
0006720513.tif 000007
【図３】
0006720513.tif 000008
【図４】
0006720513.tif 000009
【図５】
0006720513.tif 000010
【図６】
0006720513.tif 000011
【図７】
0006720513.tif 000012
【図８】
0006720513.tif 000013
【図９】
0006720513.tif 000014
【図１０】
0006720513.tif 000015
【図１１】
0006720513.tif 000016
【図１２】
0006720513.tif 000017
【図１３】
0006720513.tif 000018